(57)【要約】【課題】上蓋が破れることなく、外箱から内箱を容易に取り出す。【解決手段】内箱２０は、４つの内箱側面２２ａ，２２ｂ，２２ｃ，２２ｄと上蓋２５とを備える。上蓋の第１辺２５ｂに第１内箱側面２２ｂが連設され、上蓋の第１辺に対向する第２辺２５ｄに差し込み片２７が連設されている。差し込み片は、第１内箱側面に対向する第２内箱側面２２ｄの内面に接するように内箱内に挿入されている。第１内箱側面に垂直な２つの内箱側面２２ａ，２２ｃが外箱１０の対向する２つの外箱側面１２ａ，１２ｃにそれぞれ内接し、且つ、上蓋が上方を向くように、複数の内箱が外箱内に隙間なく収容されている。上蓋の第１辺と第２辺とをつなぐ２つの側辺２５ａ，２５ｃのそれぞれに切り欠き２６ａ，２６ｃが設けられている。【選択図】図７
2018076076.tif 000002
【特許請求の範囲】
【請求項１】
外箱と、前記外箱内に隙間なく収容された複数の内箱とを含む包装箱であって、
前記外箱は、矩形状の外箱底面と、前記外箱底面の４辺に連設された４つの外箱側面とを備え、
前記複数の内箱のそれぞれは、矩形状の内箱底面と、前記内箱底面の４辺に連設された４つの内箱側面と、略矩形状の上蓋とを備え、前記上蓋の第１辺に前記４つの内箱側面のうちの１つである第１内箱側面が連設され、前記上蓋の前記第１辺に対向する第２辺に差し込み片が連設されており、前記差し込み片は、前記４つの内箱側面のうち前記第１内箱側面に対向する第２内箱側面の内面に接するように前記内箱内に挿入されており、
前記４つの内箱側面のうち前記第１内箱側面に垂直な２つの内箱側面が前記外箱の対向する２つの外箱側面にそれぞれ内接し、且つ、前記上蓋が上方を向くように、前記複数の内箱が前記外箱内に収容されており、
前記上蓋の前記第１辺と前記第２辺とをつなぐ２つの側辺のそれぞれに切り欠きが設けられていることを特徴とする包装箱。
【請求項２】
前記複数の内箱のそれぞれは、前記第１内箱側面に垂直な前記２つの内箱側面の上辺に連設された２つのフラップを更に備える請求項１に記載の包装箱。
【請求項３】
前記切り欠きは滑らかな曲線に沿っている請求項１又は２に記載の包装箱。
【請求項４】
前記切り欠きの前記側辺に沿った長さは１２０ｍｍ以上である請求項１〜３のいずれか一項に記載の包装箱。
【発明の詳細な説明】
【技術分野】
【０００１】
本発明は、複数の内箱が外箱内に収容された包装箱に関する。
【背景技術】
【０００２】
物品を搬送や保管するために、物品を内箱に収納し、更に複数の内箱を外箱に収容することがある。外箱内で内箱が移動しないように、一般に、複数の内箱は外箱に隙間なく収容される。このため、外箱の上蓋を開けて、内箱を上方に持ち上げて外箱から取り出す作業が困難であるという課題がある。
【０００３】
特許文献１には、内箱の上蓋の対向する２辺に、切り欠き、または、上方に向かって折り曲げ可能な把持部を設けることが記載されている。上蓋に切り欠きを設けた場合には、切り欠きに指を入れて上蓋を保持することが可能である。また、上蓋に把持部を設けた場合には、把持部を指で把持することが可能である。このように、特許文献１の内箱は、上蓋を容易に保持することができるように、上蓋に切り欠き又は把持部が設けられている。
【０００４】
しかしながら、切り欠きや把持部を利用して上蓋を持ち上げようとすると、切り欠きや把持部を始点として上蓋が破れてしまうことがある。
【先行技術文献】
【特許文献】
【０００５】
【特許文献１】実用新案登録第３１２４３９３号
【発明の概要】
【発明が解決しようとする課題】
【０００６】
本発明の目的は、上蓋が破れることなく、外箱から内箱を取り出すことを容易にすることにある。
【課題を解決するための手段】
【０００７】
本発明の包装箱は、外箱と、前記外箱内に隙間なく収容された複数の内箱とを含む。前記外箱は、矩形状の外箱底面と、前記外箱底面の４辺に連設された４つの外箱側面とを備える。前記複数の内箱のそれぞれは、矩形状の内箱底面と、前記内箱底面の４辺に連設された４つの内箱側面と、略矩形状の上蓋とを備える。前記上蓋の第１辺に前記４つの内箱側面のうちの１つである第１内箱側面が連設されている。前記上蓋の前記第１辺に対向する第２辺に差し込み片が連設されている。前記差し込み片は、前記４つの内箱側面のうち前記第１内箱側面に対向する第２内箱側面の内面に接するように前記内箱内に挿入されている。前記４つの内箱側面のうち前記第１内箱側面に垂直な２つの内箱側面が前記外箱の対向する２つの外箱側面にそれぞれ内接し、且つ、前記上蓋が上方を向くように、前記複数の内箱が前記外箱内に収容されている。前記上蓋の前記第１辺と前記第２辺とをつなぐ２つの側辺のそれぞれに切り欠きが設けられている。
【発明の効果】
【０００８】
本発明によれば、内箱側面と外箱側面との間に手を挿入し、両手で内箱を挟んで持ち上げることができる。従って、上蓋が破れることなく、外箱から内箱を容易に取り出すことができる。
【図面の簡単な説明】
【０００９】
【図１】図１は、本発明の一実施形態にかかる包装箱の斜視図である。
【図２】図２は、本発明の一実施形態にかかる外箱の展開図である。
【図３】図３は、本発明の一実施形態にかかる内箱の斜視図である。
【図４】図４は、本発明の一実施形態にかかる内箱の平面図である。
【図５】図５は、上蓋が開かれた、本発明の一実施形態にかかる内箱の斜視図である。
【図６】図６は、本発明の一実施形態にかかる内箱の展開図である。
【図７】図７は、本発明の一実施形態にかかる包装箱において、内箱が外箱から取り出される状態を示した斜視図である。
【図８】図８Ａ〜図８Ｅは、本発明の包装箱を構成する別の実施形態にかかる内箱の平面図である。
【発明を実施するための形態】
【００１０】
本発明の上記の包装箱において、前記複数の内箱のそれぞれは、前記第１内箱側面に垂直な前記２つの内箱側面の上辺に連設された２つのフラップを更に備えてもよい。かかる構成は、外箱から内箱を取り出すのを容易にするのに有利である。また、上蓋の切り欠きを介して外界のゴミ等が内箱内に混入するのを防止するのに有利である。
【００１１】
前記切り欠きは滑らかな曲線に沿っていてもよい。かかる構成は、切り欠きを始点として上蓋が破れるのを防止するのに有利である。
【００１２】
前記切り欠きの前記側辺に沿った長さは１２０ｍｍ以上であることが好ましい。かかる構成は、内箱側面と外箱側面との間に手を挿入する際に、手が上蓋に当たるのを防止するのに有利である。その結果、内箱側面と外箱側面との間に手を挿入するのが容易になるので、外箱から内箱を更に容易に取り出すことができる。また、手が上蓋に当たることによる上蓋の破れを更に少なくすることができる。
【００１３】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する主要部材を簡略化して示したものである。従って、本発明は以下の各図に示されていない任意の部材を備え得る。また、本発明の範囲内において、以下の各図に示された各部材を変更または省略し得る。
【００１４】
図１は、本発明の一実施形態にかかる包装箱１の斜視図である。包装箱１は、外箱１０と、外箱１０内に収容された６個の内箱２０とで構成される。外箱１０及び内箱２０は、いずれも直方体形状を有する。図１において、破線は、内箱２０の輪郭を透視的に示している。本実施形態では、互いに隣接して水平方向に一列に配置された３個の内箱２０が上下に２段積み重ねられて、外箱１０内に隙間なく収容されている。内箱２０が外箱１０に「隙間なく」収容されているとは、外箱１０内で内箱２０が移動することができない程度に、隣り合う内箱２０同士が当接し、更に、外箱１０と内箱２０とが当接している状態を意味する。
【００１５】
図２は外箱１０の展開図である。図１及び図２から理解できるように、外箱１０は、上下方向に対向する外箱底面１３及び外箱上面（または外箱上蓋）１４と、これらの間の４つの外箱側面１２ａ，１２ｂ，１２ｃ，１２ｄとを備える。
【００１６】
図２に示されているように、いずれもが矩形状である４つの外箱側面１２ａ，１２ｂ，１２ｃ，１２ｄがこの順に連設されている。図２において、外箱側面１２ａ，１２ｂ，１２ｃ，１２ｄの右側の辺にフラップ１３ａ，１３ｂ，１３ｃ，１３ｄが連設され、外箱側面１２ａ，１２ｂ，１２ｃ，１２ｄの左側の辺にフラップ１４ａ，１４ｂ，１４ｃ，１４ｄが連設されている。外箱側面１２ｄの別の辺（図２において下側の辺）に接続片１９が連設されている。図２において、二点鎖線は折り曲げ線を意味する。外箱１０は、例えば段ボールからなる。
【００１７】
外箱１０は、一般的な段ボール箱と同様に組み立てられる。即ち、外箱側面１２ａ，１２ｂ，１２ｃ，１２ｄが環状に連続するように、接続片１９は外箱側面１２ａに重ね合わされ接続される。相対的に小さな外箱側面１２ｂ，１２ｄに連設されたフラップ１３ｂ，１３ｄを外箱側面１２ｂ，１２ｄに対して略垂直になるように内側に折り曲げ、次いで、フラップ１３ａ，１３ｃを外箱側面１２ａ，１２ｃに対して略垂直になるように内側に折り曲げる。そして、フラップ１３ａとフラップ１３ｃとが連結されるように、粘着テープをフラップ１３ａ及びフラップ１３ｃに、これらの突き合わせ部分に沿って貼付する。フラップ１３ａ，１３ｂ，１３ｃ，１３ｄは、外箱１０の矩形状の外箱底面１３を構成する。外箱側面１２ａと外箱側面１２ｃとは対向し且つ平行であり、外箱側面１２ｂと外箱側面１２ｄとは対向し且つ平行である。外箱側面１２ａ，１２ｃと外箱側面１２ｂ，１２ｄとは互いに垂直である。
【００１８】
図１に示されているように、フラップ１４ａ，１４ｂ，１４ｃ，１４ｄを上側にした状態で、外箱１０に内箱２０が収容される。その後、外箱底面１３と同様に、外箱１０の上方に向いた開口が閉じられる。即ち、フラップ１４ｂ，１４ｄを外箱側面１２ｂ，１２ｄに対して略垂直になるように内側に折り曲げ、次いで、フラップ１４ａ，１４ｃを外箱側面１２ａ，１２ｃに対して略垂直になるように内側に折り曲げる。そして、フラップ１４ａとフラップ１４ｃとが連結されるように、粘着テープをフラップ１４ａ及びフラップ１４ｃに、これらの突き合わせ部分に沿って貼付する。フラップ１４ａ，１４ｂ，１４ｃ，１４ｄは、外箱１０の矩形状の外箱上面１４（図２参照）を構成する。
【００１９】
図３は内箱２０の斜視図、図４は内箱２０の平面図、図５は、上蓋２５が開かれた状態の内箱２０の斜視図、図６は内箱２０の展開図である。内箱２０は、上下方向に対向する内箱底面２３及び上蓋２５と、これらの間の４つの内箱側面２２ａ，２２ｂ，２２ｃ，２２ｄを備える。
【００２０】
図６に示されているように、いずれもが矩形状である４つの内箱側面２２ａ，２２ｂ，２２ｃ，２２ｄがこの順に連設されている。図６において、内箱側面２２ａ，２２ｂ，２２ｃ，２２ｄの右側の辺にフラップ２３ａ，２３ｂ，２３ｃ，２３ｄが連設されている。また、図６において、内箱側面２２ａ，２２ｃの左側の辺２２ａ１，２２ｃ１にフラップ２４ａ，２４ｃが連設され、内箱側面（第１内箱側面）２２ｂの左側の辺２２ｂ１に、略矩形状の上蓋２５が連設されている。上蓋２５は、内箱側面２２ｂの辺２２ｂ１と共通する辺（第１辺）２５ｂと、辺２５ｂに平行な辺（第２辺）２５ｄと、辺２５ｂの両端と辺２５ｄの両端とをつなぐ辺（側辺）２５ａ，２５ｃとを有する。上蓋２５の辺２５ｄに差し込み片２７が連設されている。内箱側面２２ｄの別の辺（図６において下側の辺）に接続片２９が連設されている。図６において、二点鎖線は折り曲げ線を意味する。内箱２０は、例えば板紙（ボール紙ともいう）からなる。その厚さ（米坪）は、限定されないが、３００〜６５０ｇ／ｍ2、更には４００〜６００ｇ／ｍ2が好ましい。
【００２１】
内箱側面２２ａ，２２ｂ，２２ｃ，２２ｄが環状に連続するように、接続片２９は内箱側面２２ａに重ね合わされ接続される。フラップ２３ａの一部とフラップ２３ｂの一部とが重ね合わされ接続される。同様に、フラップ２３ｃの一部とフラップ２３ｄの一部とが重ね合わされ接続される。
【００２２】
図５に示すように、内箱側面２２ａ，２２ｂ，２２ｃ，２２ｄ内に四角柱状の空間を形成すると、フラップ２３ａ，２３ｂ，２３ｃ，２３ｄが互いに噛み合って矩形状の内箱底面２３（図６参照）が形成される。内箱側面２２ａと内箱側面２２ｃとは対向し且つ平行であり、内箱側面２２ｂと内箱側面２２ｄとは対向し且つ平行である。内箱側面２２ａ，２２ｃと内箱側面２２ｂ，２２ｄとは互いに垂直である。
【００２３】
内箱２０内に物品を収納した後、上蓋２５を閉じる。即ち、最初に、内箱側面２２ａ，２２ｃの上辺２２ａ１，２２ｃ１に連設されたフラップ２４ａ，２４ｃを、内箱側面２２ａ，２２ｃに対して略垂直になるように内側に折り曲げる。次いで、内箱側面２２ｂの上辺２２ｂ１に連設された上蓋２５を、内箱側面２２ｂに対して略垂直になるように、且つ、フラップ２４ａ，２４ｃに重なるように、内側に折り曲げる。差し込み片２７は、上蓋２５に対して垂直に折り曲げられて、内箱側面（第２内箱側面）２２ｄの内面に接するように、内箱２０内に挿入される。
【００２４】
かくして、内箱側面２２ａ，２２ｂ，２２ｃ，２２ｄで囲まれた、上方に向いた矩形状の開口が、上蓋２５で塞がれる（図３参照）。上蓋２５の辺２５ｄ（図５参照）は、内箱側面２２ｄの上辺に沿って配置される。内箱２０の寸法は、任意であるが、一実施例では、上蓋２５の辺２５ｂ，２５ｄに沿った長さ（幅）は３４５ｍｍ、側辺２５ａ，２５ｃに沿った長さ（奥行き）は２０４ｍｍ、内箱２０の高さ（上下方向寸法）は２０３ｍｍである。
【００２５】
図３〜図６に示されているように、略矩形状の上蓋２５の４辺のうち、辺２５ｂと辺２５ｄとをつなぐ側辺２５ａ，２５ｃに切り欠き２６ａ，２６ｃが設けられている。切り欠き２６ａ，２６ｃは、側辺２５ａ，２５ｃの両端に直線部分を残して、その中央部分を略円弧状に切り落とすことにより形成されている。図４に示されているように、上蓋２５を閉じた内箱２０を上方から見たとき、切り欠き２６ａ，２６ｃを介して、上蓋２５の下に位置するフラップ２４ａ，２４ｃの一部と、内箱側面２２ａ，２２ｃの上辺２２ａ１，２２ｃ１の一部とが見える。一実施例では、切り欠き２６ａ，２６ｃの側辺２５ａ，２５ｃに沿った長さＬは１６４ｍｍ、切り欠き２６ａ，２６ｃの深さ（最大深さ）Ｄは５ｍｍである。
【００２６】
図１に示すように、内箱２０は、その内箱側面２２ａ，２２ｃが外箱側面１２ａ，１２ｃに内接し、且つ、上蓋２５が上方を向くように、外箱１０内に収容される。内箱２０の上蓋２５に設けられた切り欠き２６ａ，２６ｃは、外箱側面１２ａ，１２ｃに対向する。
【００２７】
外箱１０から内箱２０を取り出す方法を説明する。
【００２８】
最初に、図１のように外箱上面１４を開いた状態において、作業者は、その両手（特に、その親指を除く４本の指）を、内箱側面２２ａ，２２ｃと外箱側面１２ａ，１２ｃとの間に挿入する。手を挿入するときに、手のひらが内箱側面２２ａ，２２ｃの上辺２２ａ１，２２ｃ１（図３参照）に当たり、上辺２２ａ１，２２ｃ１は内向きにわずかに変形する。上蓋２５の側辺２５ａ，２５ｃに切り欠き２６ａ，２６ｃが設けられているので、手のひらは上蓋２５には実質的に衝突しない。また、手の甲は、外箱側面１２ａ，１２ｃの内面に当たり、外箱側面１２ａ，１２ｃは、内箱側面２２ａ，２２ｃから離間するように外向きに変形する。従って、両手を内箱側面２２ａ，２２ｃと外箱側面１２ａ，１２ｃとの間に容易に挿入することができる。
【００２９】
次いで、内箱２０を挟むように、両手（特に、その親指を除く４本の指）で内箱側面２２ａ，２２ｃを内側に押す。内箱側面２２ａ，２２ｃは、わずかに内側に向かって窪む。このときも、上蓋２５の側辺２５ａ，２５ｃに切り欠き２６ａ，２６ｃが設けられているので、手のひらは上蓋２５に実質的に衝突しない。
【００３０】
そして、図７に示すように、両手で内箱側面２２ａ，２２ｃを挟んだ状態で、内箱２０を持ち上げる。内箱側面２２ａ，２２ｃの上辺２２ａ１，２２ｃ１にフラップ２４ａ，２４ｃが設けられているので（図３、図５参照）、上辺２２ａ１，２２ｃ１の曲げ剛性は内箱側面２２ａ，２２ｃの中央部分の曲げ剛性に比べて大きい。このため、内箱側面２２ａ，２２ｃの窪み量に比べて、上辺２２ａ１，２２ｃ１の変形量は小さい。従って、内箱側面２２ａ，２２ｃに対して指が滑ることなく、内箱２０を持ち上げて外箱１０から取り出すことができる。
【００３１】
全ての内箱２０を、上記と同様にして外箱１０から取り出すことができる。
【００３２】
本発明と異なり、外箱１０内に内箱２０が水平面内に縦方向及び横方向のいずれにも複数個配置されて収容されている場合を考える。この場合、本発明と同様に内箱側面２２ａ，２２ｃを両手で挟んで内箱２０を持ち上げるためには、持ち上げようとする内箱２０の内箱側面２２ａ（または２２ｃ）と隣の内箱２０の内箱側面２２ｃ（または２２ａ）との間に手を挿入する必要がある。上述したように、内箱側面２２ａ，２２ｃの上辺２２ａ１，２２ｃ１にはフラップ２４ａ，２４ｃが設けられているので、上辺２２ａ１，２２ｃ１の曲げ剛性は比較的大きい。従って、内箱側面２２ａと内箱側面２２ｃとの間に手を挿入することは困難である。更に、上蓋２５に切り欠き２６ａ，２６ｃが設けられていない場合には、上蓋２５の側辺２５ａ，２５ｃが手に衝突するので、内箱側面２２ａと内箱側面２２ｃとの間に手を挿入することは更に困難である。また、仮に挿入できたとしても、上蓋２５の側辺２５ａ，２５ｃが手を局所的に圧迫することによって作業者が痛みを感じる。
【００３３】
以上のように、本発明では、内箱２０の内箱側面２２ａ，２２ｃが外箱１０の外箱側面１２ａ，１２ｃに内接するように、内箱２０が外箱１０内に収容されており、且つ、上蓋２５の側辺２５ａ，２５ｃに切り欠き２６ａ，２６ｃが設けられている。これは、内箱２０と外箱１０との間に手を挿入することを容易にし、また、上蓋２５が手を圧迫することに起因する痛みを軽減する。従って、本発明は、外箱１０から内箱２０を取り出すことを容易にするのに有利である。
【００３４】
また、上蓋２５に切り欠き２６ａ，２６ｂが設けられているので、両手で内箱側面２２ａ，２２ｃを挟んで内箱２０を持ち上げるときに、手が上蓋２５に接触しない。これは、内箱２０を外箱１０から取り出す際に上蓋２５が破れる可能性を低減するのに有利である。
【００３５】
従って、本発明によれば、上蓋２５が破れることなく、外箱１０から内箱２０を容易に取り出すことができる。
【００３６】
また、本発明では、外箱１０から内箱２０を取り出す際に上蓋２５を保持する必要がない。このため、上蓋２５を、辺２５ａ，２５ｃ，２５ｄに沿って内箱側面２２ａ，２２ｃ，２２ｄに粘着テープで固定する等の、強固な封緘が不要である。
【００３７】
上記の実施形態は例示に過ぎない。本発明は、上記の実施形態に限定されず、適宜変更することができる。
【００３８】
上蓋２５に設けられる切り欠き２６ａ，２６ｃの形状は、上記の実施形態では円弧状であったが、これに限定されず、任意に変更しうる。例えば、切り欠き２６ａ，２６ｃは、図８Ａに示すような三角形状（または楔状）や、図８Ｂに示すような台形状であってもよい。但し、切り欠き２６ａ，２６ｃは、滑らかな曲線に沿っていることが好ましい。これは、切り欠き２６ａ，２６ｃを始点として上蓋２５が破れるのを防止するのに有利である。
【００３９】
切り欠き２６ａ，２６ｃの長さＬ及び深さＤ（図４参照）は、手を内箱側面２２ａ，２２ｃと外箱側面１２ａ，１２ｃとの間に挿入するときに、手が上蓋２５に衝突しない程度であればよい。具体的には、切り欠き２６ａ，２６ｃの長さＬは１２０ｍｍ以上、更には１５０ｍｍ以上であることが好ましく、切り欠き２６ａ，２６ｃの深さＤは２ｍｍ以上、更には５ｍｍ以上であることが好ましい。但し、切り欠き２６ａ，２６ｃの長さＬ及び深さＤが大きすぎても、手が上蓋２５に衝突するのを回避する効果はほとんど向上しない。むしろ、長さＬ及び深さＤが大きいと、上蓋２５の強度が低下し、これは内箱２０全体の強度の低下を招く。また、後述するようにフラップ２４ａ，２４ｃを省略した場合には、切り欠き２６ａ，２６ｃを介して外界のゴミ等が内箱２０内に混入しやすくなる。このため、切り欠き２６ａ，２６ｃの長さＬの上限は、２００ｍｍ以下、更には側辺２５ａ，２５ｃの長さ以下であることが好ましい。また、切り欠き２６ａ，２６ｃの深さＤの上限は、２０ｍｍ以下、更には１０ｍｍ以下であることが好ましい。
【００４０】
切り欠き２６ａ，２６ｃを側辺２５ａ，２５ｃの一部のみに設ける場合には、上記の実施形態のように切り欠き２６ａ，２６ｃを側辺２５ａ，２５ｃの中央に配置することが好ましい。但し、本発明はこれに限定されず、例えば切り欠き２６ａ，２６ｃを側辺２５ａ，２５ｃの全長にわたって設けてもよい。例えば、図８Ｃは円弧状の切り欠き２６ａ，２６ｃを側辺２５ａ，２５ｃの全長にわたって設けた例を示し、図８Ｄは三角形状（または楔状）の切り欠き２６ａ，２６ｃを側辺２５ａ，２５ｃの全長にわたって設けた例を示し、図８Ｅは台形状の切り欠き２６ａ，２６ｃを側辺２５ａ，２５ｃの全長にわたって設けた例を示す。
【００４１】
上記の実施形態では、内箱側面２２ａ，２２ｃの上辺２２ａ１，２２ｃ１にフラップ２４ａ，２４ｃが設けられた。フラップ２４ａ，２４ｃは、上辺２２ａ１，２２ｃ１の曲げ剛性を向上させるので、図７に示すように内箱側面２２ａ，２２ｃを両手で挟んで内箱２０を外箱１０から持ち上げて取り出す際に、内箱側面２２ａ，２２ｃに対して手が滑るのを防止するのに有利である。また、フラップ２４ａ，２４ｃは、図３に示すように上蓋２５を閉じたときに、切り欠き２６ａ，２６ｃを介して外界のゴミ等が内箱２０内に混入するのを防止するのに有利である。但し、本発明では、フラップ２４ａ，２４ｃを省略することができる。この場合、上辺２２ａ１，２２ｃ１の曲げ剛性が低下するので、内箱側面２２ａ，２２ｃと外箱側面１２ａ，１２ｃとの間に手を挿入するのが更に容易になる。
【００４２】
外箱１０及び内箱２０の構成は、本発明の範囲内で任意に変更しうる。例えば、内箱２０の内箱底面２３が、外箱底面１３と同様の構成を有していてもよい。外箱１０の外箱底面１３が、内箱底面２３と同様の構成を有していてもよい。外箱１０及び／又は内箱２０が、２以上の部材を接続して構成されてもよい。外箱１０の外箱上面１４が、内箱２０の上蓋２５及びフラップ２４ａ，２４ｃと同様の部材で構成されていてもよい。外箱１０が外箱上面１４を有していなくてもよい。
【００４３】
外箱１０内に収容される内箱２０の数は任意である。但し、本発明では、全ての内箱２０の内箱側面２２ａ，２２ｃが外箱側面１２ａ，１２ｃに内接する必要がある。このため、同一水平面上では内箱２０は一列に配置される。内箱２０の上下方向の段数は、上記の実施形態では２段であったが、１段または３段以上であってもよい。
【００４４】
内箱２０に収容される物品の種類に限定はない。内箱側面２２ａ，２２ｃを両手で挟んだときに内箱側面２２ａ，２２ｃがわずかに窪むことができるように、内箱側面２２ａ，２２ｃと内箱２０に収容された物品との間にわずかな隙間が設けれていることが好ましい。
【産業上の利用可能性】
【００４５】
本発明の利用分野は、制限はなく、複数の内箱が外箱内に収容された包装箱に広範囲に利用することができる。
【符号の説明】
【００４６】
１  包装箱
１０  外箱
１２ａ，１２ｂ，１２ｃ，１２ｄ  外箱側面
１３  外箱底面
２０  内箱
２２ａ，２２ｃ  内箱側面
２２ａ１，２２ｃ１  内箱側面の上辺
２２ｂ  第１内箱側面（内箱側面）
２２ｄ  第２内箱側面（内箱側面）
２３  内箱底面
２４ａ，２４ｃ  フラップ
２５  上蓋
２５ｂ  上蓋の第１辺
２５ｄ  上蓋の第２辺
２５ａ，２５ｃ  上蓋の側辺
２６ａ，２６ｃ  切り欠き
２７  差し込み片
【図１】
2018076076.tif 000003
【図２】
2018076076.tif 000004
【図３】
2018076076.tif 000005
【図４】
2018076076.tif 000006
【図５】
2018076076.tif 000007
【図６】
2018076076.tif 000008
【図７】
2018076076.tif 000009
【図８】
2018076076.tif 000010